(57)【要約】      （修正有）【課題】ベッドガードの安全性を高めることができるベッドガードの補助具を提供する。【解決手段】ベッドの幅方向端部に設置するフェンスを備えたベッドガードの補助具１００であって、フェンス１０２に隣接してベッドの上面に位置する補助具本体１０と、補助具本体をフェンスに固定するための固定部材２０と、を備えている。補助具本体は、クッション材で形成され、ベッドの上面に沿ってフェンスからベッドの幅方向中央に向かって延びる板状の床部１１と、フェンスに沿って床部から上方に向かって延びる板状の壁部１２を有する。【選択図】図２
0003214918.tif 000002
【実用新案登録請求の範囲】
【請求項１】
ベッドの幅方向端部に設置するフェンスを備えたベッドガードの補助具であって、
前記フェンスに隣接して前記ベッドの上面に位置する補助具本体と、
前記補助具本体を前記フェンスに固定するための固定部材と、
を備えたベッドガードの補助具。
【請求項２】
前記補助具本体は、前記ベッドの上面に沿って前記フェンスから前記ベッドの幅方向中央に向かって延びる板状の床部を有する、請求項１に記載のベッドガードの補助具。
【請求項３】
前記補助具本体は、前記フェンスに沿って前記床部から上方に向かって延びる板状の壁部を有する、請求項２に記載のベッドガードの補助具。
【請求項４】
前記床部のベッド幅方向寸法は１０センチメートル以上であって３０センチメートル以下である、請求項２又は３に記載のベッドガードの補助具。
【請求項５】
前記補助具本体はクッション材によって形成されている、請求項１乃至４のうちいずれか一の項に記載のベッドガードの補助具。
【考案の詳細な説明】
【技術分野】
【０００１】
本考案は、ベッドからの転落を防止するベッドガードの補助具に関する。
【背景技術】
【０００２】
一般的なベッドガードはベッドの幅方向端部に設置するフェンスを備えており、このフェンスによって使用者がベッドから転落するのを防止することができる（例えば特許文献１参照）。また、最近のベッドガードは、ベッド幅方向のずれを防止する部品等を備えており、ベッドとベッドガードの間に隙間が生じないように構成されている。
【先行技術文献】
【特許文献】
【０００３】
【特許文献１】特開２０１５−１３６６００号公報
【考案の概要】
【考案が解決しようとする課題】
【０００４】
上記のとおり、ベッドガードはベッドとの間に隙間が生じないように構成されているが、念のためベッドガードとベッドの間に隙間が生じたときの対策を施しておけば、ベッドガードの安全性をより高めることができる。
【０００５】
本考案は、以上のような事情に鑑みてなされたものであり、ベッドガードの安全性を高めることができるベッドガードの補助具を提供することを目的としている。
【課題を解決するための手段】
【０００６】
本考案の一態様に係るベッドガードの補助具は、ベッドの幅方向端部に設置するフェンスを備えたベッドガードの補助具であって、前記フェンスに隣接して前記ベッドの上面に位置する補助具本体と、前記補助具本体を前記フェンスに固定するための固定部材と、を備えている。
【０００７】
この構成によれば、ベッドとベッドガードの間に隙間が生じたとしても、その隙間を補助具本体で覆うことができるため、ベッドガードの安全性を高めることができる。
【０００８】
上記のベッドガードの補助具において、前記補助具本体は、前記ベッドの上面に沿って前記フェンスから前記ベッドの幅方向中央に向かって延びる板状の床部を有するようにしてもよい。
【０００９】
この構成によれば、補助具本体の床部によってベッドとベッドガードの間の隙間を覆うことができる。また、床部は板状であることから使用者は床部の上面にも移動できるため、補助具を設置することによるベッドの使用エリアの縮小を抑制することができる。
【００１０】
上記のベッドガードの補助具において、前記補助具本体は、前記フェンスに沿って前記床部から上方に向かって延びる板状の壁部を有するようにしてもよい。
【００１１】
この構成によれば、補助具本体の壁部はフェンスに沿って設置されるため、補助具をベッドガードにしっかりと固定することができる。さらに、床部とフェンスの間に隙間が生じたとしても、壁部によって使用者がその隙間へ移動するのを防ぐことができる。
【００１２】
上記のベッドガードの補助具において、前記床部のベッド幅方向寸法は１０センチメートル以上であって３０センチメートル以下である。
【００１３】
この構成によれば、床部のベッド幅方向寸法が１０センチメートル以上であるため、床部がベッドとベッドガードの間の隙間を確実に覆うことができる。また、床部のベッド幅方向寸法が３０センチメートル以下であるため、床部がベッドの幅方向中央に侵入するのを抑制することができる。
【００１４】
上記のベッドガードの補助具において、前記補助具本体はクッション材によって形成されていてもよい。
【００１５】
この構成によれば、使用者が補助具本体と接触したときに受ける違和感を極力抑えることができる。
【考案の効果】
【００１６】
上記のベッドガードの補助具によれば、ベッドガードの安全性を高めることができる。
【図面の簡単な説明】
【００１７】
【図１】図１は、ベッドガードの斜視図である。
【図２】図２は、ベッドガードに固定した状態の補助具の斜視図である。
【考案を実施するための形態】
【００１８】
＜ベッドガード＞
まず、本実施形態に係る補助具１００を固定するベッドガード１０１について説明する。図１は、ベッドガード１０１の斜視図である。なお、図１において、右下−左上方向がベッド１１０の「幅方向」であり、右上−左下方向がベッド１１０の「長さ方向」である（図２も同じ）。図１に示すように、本実施形態のベッドガード１０１は、ベッド本体１１１とマットレス１１２とを備えたベッド１１０に設置される。
【００１９】
ベッドガード１０１は、ベッド１１０の幅方向端部に設置するフェンス１０２と、フェンス１０２の下端に設けられベッド本体１１１とマットレス１１２の間に挿入される支持部材１０３と、フェンス１０２の下端に連結されたベルト１０４と、位置調整可能にベルト１０４に取り付けられた係止部材１０５と、を備えている。また、本実施形態のフェンス１０２は、矩形状の枠部材１０６と、この枠部材１０６に覆うようにして取り付けられたシート１０７と、を有している。
【００２０】
ベルト１０４は、フェンス１０２からベッド本体１１１とマットレス１１２の間を通って、ベッド１１０の幅方向においてフェンス１０２と反対側の端部にまで延びている。また、係止部材１０５は、ベッド１１０の幅方向端部であってフェンス１０２の反対側に位置している。そして、係止部材１０５は、ベッド本体１１１とマットレス１１２の側面に接触するように位置調整されている。
【００２１】
係止部材１０５を上記のように位置調整することで、係止部材１０５はストッパとして機能する。つまり、係止部材１０５のストッパ機能により、フェンス１０２がベッド１１０の幅方向に移動するのを防ぐことができ、ベッド１１０とフェンス１０２の間に隙間が生じるのを防ぐことができる。ただし、想定外の事情により、ベッド１１０とフェンス１０２の間に隙間が生じる可能性もある。本実施形態に係る補助具１００は、このような場合にベッド１１０とフェンス１０２の間の隙間を覆うものである。
【００２２】
なお、本実施形態では、ベッドガード１０１がベッド１１０の幅方向の一方側端部にのみ設置する場合について説明するが、ベッドガード１０１はベッド１１０の幅方向両側端部に設置してもよい。この場合は、後述する補助具１００もベッドガード１０１に対応して、ベッド１１０の幅方向両側に設置してもよい。
【００２３】
＜補助具＞
続いて、本実施形態に係る補助具１００について説明する。補助具１００は、ベッドガード１０１の機能を補助するための器具である。図２は、ベッドガード１０１に固定した状態の補助具１００の斜視図である。図２に示すように、補助具１００は、補助具本体１０と、固定部材２０と、を備えている。以下、これらの構成要素について順に説明する。
【００２４】
補助具本体１０は、ベッドガード１０１のフェンス１０２に隣接してベッド１１０（マットレス１１２）の上面に位置している。補助具本体１０は、このような位置に設けられているため、ベッド１１０とベッドガード１０１の間に隙間が生じたとしても、その隙間を補助具本体１０で覆うことができる。その結果、ベッドガード１０１の安全性を高めることができる。
【００２５】
さらに、補助具本体１０はクッション材によって形成されている。そのため、使用者が補助具本体１０に接触したときに受ける違和感を極力抑えることができる。なお、上記のクッション材には、例えば軟質ウレタンフォームやＥＶＡフォームなどが含まれる。
【００２６】
また、図２に示すように、本実施形態の補助具本体１０は、床部１１と壁部１２とを有しており、ベッド１１０の長さ方向から見てＬ字状に形成されている。なお、本実施形態では、補助具本体１０はフェンス１０２よりも長さ方向寸法がわずかに小さいが、フェンス１０２よりも長さ方向寸法が大きくてもよい。ただし、補助具１００を設置する目的がベッド１１０とベッドガード１０１の間に生じる隙間を覆うという点を考慮すれば、補助具本体１０の長さ方向寸法は、ベッドガード１０１のフェンス１０２の長さ方向寸法の２分の１以上であることが望ましい。
【００２７】
床部１１は、ベッド１１０の上面に沿って、ベッドガード１０１のフェンス１０２からベッド１１０の幅方向中央に向かって延びる板状の部分である。また、床部１１の先端部分は、ベッド１１０の幅方向中央に向かうに従って厚みが小さくなるように形成されている。上記のように、床部１１は板状に形成されているため、例えば使用者は寝返りをうったときに床部１１の上面にも移動することができる。つまり、床部１１の上面は使用可能なエリアになり得る。そのため、補助具１００を設置することによる使用エリアの縮小を抑制することができる。
【００２８】
なお、床部１１のベッド幅方向寸法は特に限定されないが、１０センチメートル以上であって３０センチメートル以下が望ましい。床部１１のベッド幅方向寸法が１０センチメートル以上であれば、床部１１がベッド１１０とベッドガード１０１の間の隙間を確実に覆うことができる。また、床部１１のベッド幅方向寸法が３０センチメートル以下であれば、床部１１がベッド１１０の幅方向中央に向かって侵入するのを抑制することができる。
【００２９】
壁部１２は、ベッドガード１０１のフェンス１０２に沿って、床部１１から上方に向かって延びる板状の部分である。本実施形態では、壁部１２はベッドガード１０１のフェンス１０２に接しているが、わずかに離れていてもよい。このように、壁部１２がベッドガード１０１のフェンス１０２に沿って設けられているため、補助具本体１０をベッドガード１０１にしっかりと固定することができる。さらに、床部１１とベッドガード１０１のフェンス１０２の間に隙間が生じたとしても、壁部１２によって使用者がこの隙間へ移動するのを防ぐことができる。
【００３０】
固定部材２０は、補助具本体１０をベッドガード１０１のフェンス１０２に固定するための部材である。本実施形態の補助具１００は、２つの固定部材２０を備えている。各固定部材２０は、軸部２１と、把持部２２と、を有している。
【００３１】
軸部２１は、補助具本体１０の壁部１２の内部を貫通してベッド１１０の長さ方向に延びる部分である。軸部２１は伸縮可能に構成されており、補助具１００を固定するベッドガード１０１の寸法に合わせて長さを調整することができる。
【００３２】
把持部２２は、軸部２１の長さ方向両端部に位置している。前述のとおり、ベッドガード１０１のフェンス１０２は、枠部材１０６と、枠部材１０６を覆うシート１０７によって構成されている。把持部２２は、この枠部材１０６をシート１０７の上から把持できるように構成されている。
【００３３】
以上が、本実施形態に係る補助具１００の説明である。本実施形態に係る補助具１００は、上記のように補助具本体１０がベッドガード１０１のフェンス１０２に隣接して設けられているため、ベッド１１０とベッドガード１０１の間に隙間が生じたとしても、その隙間を覆うことができる。よって、本実施形態に係る補助具１００によれば、ベッドガード１０１の安全性を高めることができる。
【００３４】
なお、以上では、補助具本体１０がベッド１１０の長さ方向から見たときＬ字状の形状を有している場合について説明したが、補助具本体１０の形状はこれに限られない。例えば、補助具本体１０は、ベッド１１０の長さ方向からみたとき矩形状の形状を有していてもよく、扇状の形状を有していてもよく、単なる板状（つまり壁部１２を省略した形状）であってもよい。
【００３５】
また、以上では、固定部材２０が軸部２１と把持部２２を有する場合について説明したが、固定部材２０はこのような構造に限られない。例えば、固定部材２０は、長さ調整可能なベルトによって構成されており、当該ベルトをベッドガード１０１のフェンス１０２に巻きつけることで補助具本体１０を当該フェンス１０２に固定できるような構造であってもよい。
【符号の説明】
【００３６】
１０  補助具本体
１１  床部
１２  壁部
２０  固定部材
１００  補助具
１０１  ベッドガード
１０２  フェンス
１１０  ベッド
【図１】
0003214918.tif 000003
【図２】
0003214918.tif 000004